(57)【特許請求の範囲】
【請求項１】
会員カードに記憶された情報を利用して実行された会計処理終了後に当該取引データを印刷したレシートを発行可能な商品販売データ処理装置において、
前記会員カ一ドに対応された優待情報を記憶可能かつ記憶されている優待情報を印刷した優待券の発行制限回数および実際に発行された優待券の発行済回数を記憶可能に形成し、前記会計処理に際して当該会員カードに対応する優待情報が記憶されているか否かを判別可能であるとともに、当該優待情報が記憶されていると判別されかつ当該優待情報に係る発行済回数が記憶された当該発行制限回数未満の場合に前記レシートとは別の当該優待情報を印刷した優待券を発行可能に形成されている商品販売データ処理装置。
【請求項２】
会員カードに記憶された情報を利用して実行された会計処理終了後に当該取引データを印刷したレシートを発行可能な商品販売データ処理装置において、
前記会員カ一ドに対応された優待情報を記憶する優待情報記憶手段と，優待情報を印刷した優待券の発行制限回数を記憶する発行制限回数記憶手段と，実際に発行された優待券の発行済回数を記憶する発行済回数記憶手段と，前記会員カードを用いた会計処理に際し優待情報記憶手段を検索して当該会員カードに対応する優待情報の記憶があるか否かを判別する記憶有無判別手段と，この記憶有無判別手段によって記憶有りと判別された場合に発行済回数記憶手段に記憶されている当該発行済回数が発行制限回数記憶手段に記憶されている当該発行制限回数未満であるか否かを判別する回数判別手段と，この回数判別手段によって発行済回数が発行制限回数未満であると判別された場合に前記レシートとは別の当該優待情報を印刷した優待券を発行する優待券発行制御手段と，優待券を発行した場合に発行済回数記憶手段に記憶されている発行済回数を更新する発行済回数更新手段とを設けた、商品販売データ処理装置。
【請求項３】
会員カードに記憶された情報を利用して実行された会計処理終了後に当該取引データを印刷したレシートを発行可能な複数の端末と，各端末とデータ通信可能に接続されかつ各端末を一括管理可能な上位機とを具備してなる商品販売データ処理装置において、
前記上位機側に、実際に発行された優待券の発行済回数を記憶する発行済回数記憶手段と，前記各端末からの前記会員カードおよび優待情報を特定した問合せがあった場合に発行済回数記憶手段を検索して当該発行済回数を読み取る発行済回数読取手段と，読み取った発行済回数を当該端末に応答する発行済回数応答手段と，前記各端末から前記会員カードを特定した優待券発行報告を受けた場合に発行済回数記憶手段に記憶されている当該発行済回数を更新する発行済回数更新手段とを設け、
前記各端末側に、前記会員カ一ドに対応された優待情報を記憶する優待情報記憶手段と，優待情報を印刷した優待券の発行制限回数を記憶する発行制限回数記憶手段と，前記会員カードを用いた会計処理に際し優待情報記憶手段を検索して当該会員カードに対応する優待情報の記憶があるか否かを判別する記憶有無判別手段と，この記憶有無判別手段によって記憶有りと判別された場合に当該会員カードを特定した当該優待券についての発行済回数を前記上位機に問合せる発行済回数間合手段と，この問合せに対して上位機から応答されて来た発行済回数が発行制限回数記憶手段に記憶されている当該発行制限回数未満であるか否かを判別する回数判別手段と，この回数判別手段によって応答発行済回数が当該発行制限回数未満であると判別された場合に前記レシートとは別の当該優待情報を印刷した優待券を発行する優待券発行制御手段と，優待券が発行された場合に当該会員カードを特定した優待券発行報告を前記上位機に送信する優待券発行報告送信手段とを設けた、商品販売データ処理装置。
【請求項４】
前記優待券が前記レシートの印刷発行用プリンタを利用して印刷発行可能に形成されたいる請求項１から請求項３までのいずれか１項に記載された商品販売データ処理装置。
【発明の詳細な説明】
【０００１】
【発明の属する技術分野】
本発明は、会員カードに記憶された情報を利用して実行された会計処理終了後に当該取引データを印刷したレシートを発行可能な商品販売データ処理装置に関する。
【０００２】
【従来の技術】
商品販売データ処理装置の中には、商品登録機能，会計処理機能等を有する１または複数の電子キャッシュレジスタから構成されたもの、複数の端末（例えば、電子キャッシュレジスタ）と，これらとデータ通信回線（例えば、ＬＡＮ）を介してデータ通信可能に接続されかつ各端末を一括管理可能な上位機（例えば、ストアコントローラ）とから構築されたもの（ＰＯＳシステム）が多い。
【０００３】
いずれの場合でも、端末（電子キャッシュレジスタ）で客の購入商品について商品登録をしかつ登録商品についての合計金額の算出等を含む会計処理を行う。この会計処理は、現金のみならず会員カードに記憶された情報を用いて実行される場合がある。この会計処理終了後に、当該取引データを印刷したレシートが発行される。
【０００４】
なお、本明細書いう会員カードには、店舗会員カード，ポイントカード，プリペードカード，クレジットカード等が含まれるものとする。
【０００５】
ここに、多くの店舗は、当該店舗にとって優良な会員カードを利用する常連客等に対して、一般客の場合よりも優待する運用を採っている。例えば、割引き券の発行やサービスポイント付与等である。これら優待は、本装置を用いた会計処理の際に実行されかつその内容は上記レシートに印刷することにより当該客に知らしめるように形成されている。
【０００６】
【発明が解決しようとする課題】
ところで、例えば競業激化に伴う差別化の一貫として、優待内容が一段と増大する傾向にある。しかも、その内容は、上記割引き等の金銭的優待のみならず、後日に入荷される新製品購入に係る整理券の発行のような予約サービス優待や誕生日カードの発行の如く精神的・趣味感的なサービス優待にも及ぶ。
【０００７】
したがって、単なる会員カード（番号）のみで管理する従来方式では、同一客に対して例えば売り場ごとの端末で同一の誕生日カードを印刷したレシートを重複発行することになり、客の歓心を誘起できず却ってないがしろ的悪感情を与えてしまう。一方、一定の売上金額ごとに発行した抽選券が当たった場合に商品引換券を発行するような運用を採る時には、同一客といえども当たり抽選券ごとに商品引換券等を発行すべきである。しかし、従来は管理困難なために発行されない場合も多い。
【０００８】
しかも、特に多数の売り場を有しかつ各売り場に多数の端末（電子キャッシュレジスタ）が配設されているような店舗では、優待券の種類が多くなる程に、優待券の発行管理が難しくなる。すなわち、迅速で正確な優待券の発行に多大な労力・時間が掛かるので、業務能率が低下する。客にとっても、優待情報がレシートの一部に印刷されていると、見落としたり紛失することがあるので、その恩恵を受けられなくなる場合が多い。
【０００９】
本発明の目的は、各種優待情報を印刷した優待券を正確かつ迅速に発行することのできる商品販売データ処理装置を提供することにある。
【００１０】
【課題を解決するための手段】
請求項１の発明は、会員カードに記憶された情報を利用して実行された会計処理終了後に当該取引データを印刷したレシートを発行可能な商品販売データ処理装置において、前記会員カ一ドに対応された優待情報を記憶可能かつ記憶されている優待情報を印刷した優待券の発行制限回数および実際に発行された優待券の発行済回数を記憶可能に形成し、前記会計処理に際して当該会員カードに対応する優待情報が記憶されているか否かを判別可能であるとともに、当該優待情報が記憶されていると判別されかつ当該優待情報に係る発行済回数が記憶された当該発行制限回数未満の場合に前記レシートとは別の当該優待情報を印刷した優待券を発行可能に形成された商品販売データ処理装置である。
【００１１】
かかる発明では、会員カードを利用する会計処理に際して、当該会員カードに対応する優待情報が記憶されているか否かが判別され、その記憶があると判別されかつ当該優待情報に係る発行済回数が予め記憶された発行制限回数未満の場合に取引データを印刷したレシートとは別の優待情報を印刷した優待券が発行される。当該発行制限回数が２以上である場合には、実際に発行した優待券の発行済回数を発行１回ごとに更新しておけばよい。これとは逆に、発行済回数が予め記憶された発行制限回数以上になった場合には、優待券が発行されてしまうことがない。
【００１２】
したがって、会員カードごとの優待情報および各優待情報ごとの発行制限回数を記憶しておけば、各種優待情報を印刷した各優待券を正確かつ迅速に発行することができる。店舗側の業務能率を大幅に向上しつつ客に優待を確実に付与することができとともに、客にとっても優待券の管理が楽でかつ優待を確実に享受し得る。
【００１３】
また、請求項２の発明は、会員カードに記憶された情報を利用して実行された会計処理終了後に当該取引データを印刷したレシートを発行可能な商品販売データ処理装置において、前記会員カ一ドに対応された優待情報を記憶する優待情報記憶手段と，優待情報を印刷した優待券の発行制限回数を記憶する発行制限回数記憶手段と，実際に発行された優待券の発行済回数を記憶する発行済回数記憶手段と，前記会員カードを用いた会計処理に際し優待情報記憶手段を検索して当該会員カードに対応する優待情報の記憶があるか否かを判別する記憶有無判別手段と，この記憶有無判別手段によって記憶有りと判別された場合に発行済回数記憶手段に記憶されている当該発行済回数が発行制限回数記憶手段に記憶されている当該発行制限回数未満であるか否かを判別する回数判別手段と，この回数判別手段によって発行済回数が発行制限回数未満であると判別された場合に前記レシートとは別の当該優待情報を印刷した優待券を発行する優待券発行制御手段と，優待券を発行した場合に発行済回数記憶手段に記憶されている発行済回数を更新する発行済回数更新手段とが設けられた商品販売データ処理装置である。
【００１４】
かかる発明では、会員カードを用いた会計処理に際し、記憶有無判別手段は、優待情報記憶手段を検索して当該会員カードに対応する優待情報の記憶があるか否かを判別する。記憶有りと判別されると、回数判別手段が、発行済回数記憶手段に記憶されている当該発行済回数が発行制限回数記憶手段に記憶されている当該発行制限回数未満であるか否かを判別する。
【００１５】
そして、発行済回数が発行制限回数未満であると判別された場合に、優待券発行制御手段がレシートとは別の当該優待情報を印刷した優待券を発行する。すると、発行済回数更新手段が、発行済回数記憶手段に記憶されている発行済回数を更新する。
【００１６】
したがって、請求項１の発明の場合と同様な作用効果を奏することができ得ることはもとより、さらに会員カードごとの優待情報および発行制限回数を記憶させておくだけでよいから取扱が簡単で、かつ各会員カードごとの多数の優待情報についてもより正確な管理ができる。
【００１７】
また、請求項３の発明は、会員カードに記憶された情報を利用して実行された会計処理終了後に当該取引データを印刷したレシートを発行可能な複数の端末と，各端末とデータ通信可能に接続されかつ各端末を一括管理可能な上位機とを具備してなる商品販売データ処理装置において、
前記上位機側に、実際に発行された優待券の発行済回数を記憶する発行済回数記憶手段と，前記各端末からの前記会員カードおよび優待情報を特定した問合せがあった場合に発行済回数記憶手段を検索して当該発行済回数を読み取る発行済回数読取手段と，読み取った発行済回数を当該端末に応答する発行済回数応答手段と，前記各端末から前記会員カードを特定した優待券発行報告を受けた場合に発行済回数記憶手段に記憶されている当該発行済回数を更新する発行済回数更新手段とを設け、
前記各端末側に、前記会員カ一ドに対応された優待情報を記憶する優待情報記憶手段と，優待情報を印刷した優待券の発行制限回数を記憶する発行制限回数記憶手段と，前記会員カードを用いた会計処理に際し優待情報記憶手段を検索して当該会員カードに対応する優待情報の記憶があるか否かを判別する記憶有無判別手段と，この記憶有無判別手段によって記憶有りと判別された場合に当該会員カードを特定した当該優待券についての発行済回数を前記上位機に問合せる発行済回数間合手段と，この問合せに対して上位機から応答されて来た発行済回数が発行制限回数記憶手段に記憶されている当該発行制限回数未満であるか否かを判別する回数判別手段と，この回数判別手段によって応答発行済回数が当該発行制限回数未満であると判別された場合に前記レシートとは別の当該優待情報を印刷した優待券を発行する優待券発行制御手段と，優待券が発行された場合に当該会員カードを特定した優待券発行報告を前記上位機に送信する優待券発行報告送信手段とが設けられている商品販売データ処理装置である。
【００１８】
かかる発明では、端末において、記憶有無判別手段は、会員カードを用いた会計処理に際し優待情報記憶手段を検索して当該会員カードに対応する優待情報の記憶があるか否かを判別する。各端末に優待情報を記憶しておけるので、例えば売り場ごとに固有な優待情報を設定できるから適応性が広く、また比較的にデータ量の多い優待情報についての上位機とのデータ通信をする必要がないのでデータ通信回線を混雑させずかつ迅速な処理ができる。
【００１９】
そして、記憶有無判別手段によって記憶有りと判別された場合には、発行済回数間合手段が、当該会員カードを特定した当該優待券についての発行済回数を上位機に問合せる。
【００２０】
この問合せを受けた上位機側の発行済回数読取手段は、発行済回数記憶手段を検索して当該発行済回数を読み取る。引続き、発行済回数応答手段が、読み取られた発行済回数を当該端末に応答する。
【００２１】
この応答を受信した端末側では、回数判別手段が、上位機から応答されて来た発行済回数が発行制限回数記憶手段に記憶されている当該発行制限回数未満であるか否かを判別する。優待情報とともに当該各発行制限回数を各端末で記憶しておけるので、例えば売り場ごとに固有な優待情報を設定できるから適応性が広い。
【００２２】
そして、回数判別手段によって応答発行済回数が当該発行制限回数未満であると判別された場合に、優待券発行制御手段が、当該優待情報を印刷した優待券を発行する。この優待券は、取引データを印刷したレシートとは別である。
【００２３】
優待券が発行された場合に、優待券発行報告手段が、当該会員カードを特定した優待券発行報告を上位機に送信する。上位機側の発行済回数更新手段は、各端末から会員カードを特定した優待券発行報告を受けた場合に、発行済回数記憶手段に記憶されている当該発行済回数を更新する。つまり、各端末で発行された会員カードごとの発行済回数を一元的に管理することができる。
【００２４】
したがって、請求項１および請求項２の各発明の場合と同様な作用効果を奏することができ得ることはもとより、さらに上位機で全ての端末で発行された優待券の発行済回数を一括管理できるから、より正確な発行管理を行える。また、客にとってもどの売り場の端末で買物をしても優待券の発行を確実に受けられるから安心である。
【００２５】
さらに、請求項４の発明は、前記優待券が前記レシートの印刷発行用プリンタを利用して印刷発行可能に形成されいる商品販売データ処理装置である。
【００２６】
かかる発明では、優待券は印刷発行用プリンタで印刷かつ発行される。したがって、請求項１から請求項３までの各発明の場合と同様な作用効果を奏することができることに加え、さらに格別な優待券発行プリンタを設けなくてもよいから低コストで具現化できるとともに、レシートとともに優待券を客に渡すことができるから業務能率を向上できる。
【００２７】
【発明の実施の形態】
以下、本発明の実施形態について図面を参照して説明する。
【００２８】
（第１の実施形態）
本商品販売データ処理装置は、図１に示す如く、店舗内の複数の端末１０と各端末１０とデータ通信可能に接続された上位機２０とから構成されるとともに、上位機２０側に発行済回数記憶手段２３ＮＤと，発行済回数読取手段（２１，２２）と，発行済回数応答手段（２１，２２）と，発行済回数更新手段（２１，２２）とを設け、かつ各端末１０側に優待情報記憶手段１３ＳＤと，発行制限回数記憶手段１３ＮＬと，記憶有無判別手段（１１，１２）と，発行済回数間合手段（１１，１２）と，回数判別手段（１１，１２）と，優待券発行制御手段（１１，１２）と，優待券発行報告送信手段（１１，１２）とを設け、会員カードに記憶された情報を利用した会計処理に際して当該会員カードに対応する優待情報が記憶されているか否かを判別可能であるとともに、当該優待情報が記憶されていると判別されかつ当該優待情報に係る発行済回数Ｎｉが発行制限回数記憶手段１３ＮＬに記憶されている当該発行制限回数Ｎｓ未満の場合にレシートとは別の当該優待情報を印刷した優待券１８Ｔを発行可能に形成されている。
【００２９】
図１において、商品販売データ処理装置は、店内に配設された複数の端末（電子キャッシュレジスタ…ＴＭ）１０と，これらを一括管理する上位機（ストアコントローラ…ＳＣ）２０とをデータ通信回線網（ＬＡＮ）１を介してデータ通信可能に接続した構成とされている。
【００３０】
３０は、データ通信回線網（ＩＳＤＮ）４を介してデータ通信可能に接続された本部のホストコンピュータであり、商品販売データ処理装置（１０，２０）とともに商品販売データ処理システムを構成する。
【００３１】
ストアコントローラ（ＳＣ）と称される上位機２０は、ＣＰＵ２１，ＲＯＭ２２，ＲＡＭ２３，キーボード（ＫＢ）２６，表示器（ＩＮＤ）２７，ＨＤＤ（ハードディスク装置）２８，ＦＤＤ（フロッピーディスク装置）２９および回線網１，４用のインターフェイス（Ｉ／Ｆ）３，６を含み、各端末１０（１０Ａ〜１０Ｎ）についての一括管理機能等を有する。
【００３２】
フロッピーディスクＦＤから図７に示すプログラムをインストールすることができる。また、図５および図６に示すプログラムを読み取って各端末１０にダウンロードすることができる。
【００３３】
ＲＡＭ２３内には、マスタファイル２３ＭＦおよび各端末１０で実際に発行された優待券１８Ｔの発行済回数Ｎｉを記憶する発行済回数記憶手段２３ＮＤが形成されている。この発行済回数記憶手段２３ＮＤを上位機２０側に設けることにより、各端末１０での図８に示す優待券１８Ｔの発行状態を一括管理可能に形成してある。なお、各ファイル・手段２３ＭＦ，２３ＮＤは、ＨＤＤ２８でバックアップされている。
【００３４】
また、メモリ容量の節減および処理高速化・容易化のために、マスタファイル２３ＭＦと発行済回数記憶手段２３ＮＤとを図２に示すごとく一体的に形成して、共通事項（例えば、会員コード）を共同使用可能に形成してある。
【００３５】
各端末（ＴＭ）１０は、ＣＰＵ１１，ＲＯＭ１２，ＲＡＭ１３，会員カードのリーダライタ（Ｒ／Ｗ）１４，スキャナ（ＳＣＮ）１５，キーボード（ＫＢ）１６，表示器（ＩＮＤ）１７，レシートの印刷発行用プリンタ（ＰＲＴ）１８，ＨＤＤ１９，インターフェイス（Ｉ／Ｆ）２および自動開放型のドロワ（ＤＷＲ）７を含み、商品販売データ処理機能（商品登録機能，会計処理機能等）を実行することができる。
【００３６】
ＲＡＭ１３内には、会員カ一ドに対応された優待情報を記憶する優待情報記憶手段１３ＳＤと，優待情報を印刷した優待券１８Ｔの発行制限回数Ｎｓを記憶する発行制限回数記憶手段１３ＮＬとが設けられている。両手段１３ＳＤ，１３ＮＬは、図３に示すごとく、一体的に形成してある。メモリ容量の節減および処理高速化・容易化のためである。
【００３７】
さらに、ＲＡＭ１３には、図４に示す如く、優待情報記憶手段１３ＳＤに会員カードごとの優待情報が記憶されているか否かを見出し的に記憶可能なオプションテーブル１３ＯＴを設けてある。記憶有無判別手段（１１，１２）の判別容易化および処理高速化のためである。
【００３８】
つまり、この判別だけは、優待情報記憶手段１３ＳＤに変えてオプションテーブル１３ＯＴを検索して行う。間接的に優待情報記憶手段１３ＳＤを検索する意味である。
【００３９】
各端末１０の基本的な機能は、商品登録（図５のＳＴ１０）した後に、１取引き終了宣言としての締め操作（ＳＴ１１のＹＥＳ）を行うと、会計処理（ＳＴ１８）が実行されかつプリンタ１８によって１取引きデータが印刷されたレシートを発行（図６のＳＴ２５）することができる。
【００４０】
会員カードに記憶された情報を利用した会計処理は、図５の（ＳＴ１２でＹＥＳ，ＳＴ１３）で実行される。この場合にも当該取引データを印刷したレシートが発行される（図６のＳＴ２５）。
【００４１】
ここにおいて、端末１０で会員カードに記憶された情報を利用した会計処理（図５のＳＴ１３）の際に、記憶有無判別手段（ＣＰＵ１１，ＲＯＭ１２）が、優待情報記憶手段１３ＳＤ（この実施形態では、オプションテーブル１３ＯＴ）を検索（ＳＴ１４）して、当該会員カードに対応する優待情報（オプション）の記憶があるか否かを判別する（ＳＴ１５）。
【００４２】
さて、優待情報（オプション）の記憶がないと判別（ＳＴ１５のＮＯ）された場合には、レシートの発行（図６のＳＴ２４）に移行する。優待情報記憶手段１３ＳＤをいちいち検索しなくてもよいから、処理の高速化を図れる。
【００４３】
また、各端末１０に優待情報を記憶しておけるので、例えば売り場ごとに固有な優待情報を設定できるから適応性が広く、また比較的にデータ量の多い優待情報についての上位機２０とのデータ通信をする必要がないからデータ通信回線１を混雑させずかつ迅速な処理ができると理解される。
【００４４】
優待情報（オプション）の記憶があると判別（ＳＴ１５のＹＥＳ）された場合に、はじめて、優待情報抽出手段（ＣＰＵ１１，ＲＯＭ１２）が、図３に示す優待情報記憶手段１３ＳＤを検索（ＳＴ１６）して、当該会員カードに対応する当該優待情報（番号）を抽出（ＳＴ１７）する。例えば、優待情報１である。
【００４５】
すると、発行済回数間合手段（ＣＰＵ１１，ＲＯＭ１２）が、当該会員カードを特定した当該優待券についての発行済回数Ｎｉを上位機２０にデータ通信回線１を通じて問合せる（図６のＳＴ１９）。
【００４６】
当該会員カードに記憶された情報が、図２を参照して、会員コードが“１２３４５６７８９０１２３４５６”で、地区コードが“１２３”で、会員名称が“鈴木一郎”であったとする。
【００４７】
この問合せを受信（図７のＳＴ３０でＹＥＳ）した上位機２０側の発行済回数読取手段（ＣＰＵ２１，ＲＯＭ２２）は、図２に示す発行済回数記憶手段２３ＮＤを検索（ＳＴ３１）して当該会員カードに対応する発行済回数Ｎｉを読み取る（ＳＴ３２）。図２において、優待情報１（Ｎｏ．１）の発行済回数Ｎｉは、“０”である。
【００４８】
引続き、発行済回数応答手段（ＣＰＵ２１，ＲＯＭ２２）が、読み取られた発行済回数Ｎｉ（＝０）を当該端末（Ｔ／Ｍ）１０に応答する（ＳＴ３３）。
【００４９】
この応答を受信した端末１０側では、回数判別手段（ＣＰＵ１１，ＲＯＭ１２）が、上位機２０から応答（図６のＳＴ２０でＹＥＳ）されて来た発行済回数Ｎｉ（＝０）と，図３に示す発行制限回数記憶手段１３ＮＬに記憶されている当該発行制限回数Ｎｓとを比較して、Ｎｉ＜Ｎｓであるか否かを判別する（ＳＴ２１，ＳＴ２２）。図３において、この場合（優待情報１）の発行制限回数Ｎｓは“１”回である。
【００５０】
かくして、優待券発行制御手段（ＣＰＵ１１，ＲＯＭ１２）は、回数判別手段（１１，１２）によって応答発行済回数Ｎｉ（＝０）が当該発行制限回数Ｎｓ（＝１）未満であると判別（ＳＴ２２のＹＥＳ）されたので、当該優待情報１（“お祝いカード”，“お誕生日おめでとうございます。サービスカウンタへ本券をお持ち下さい。記念品を差上げます。”）を印刷した優待券１８Ｔを発行する（ＳＴ２３）。
【００５１】
この優待券１８は、図８に示す如く、取引データを印刷したレシートとは別である。しかし、印刷・発行は、レシートの印刷発行用プリンタ１８を用いて行う。
【００５２】
なお、優待情報が、図３に示す優待情報２（“当選です。おめでとうございます。サービスカウンタへ本券をお持ち下さい。景品と交換します。”）である場合には、図２に示す如く当該発行済回数Ｎｉは“１”である。つまり、他の端末１０で既に当該優待券１８Ｔが１回だけ発行されている場合である。
【００５３】
したがって、回数判別手段（１１，１２）が、Ｎｉ（＝１）＜Ｎｓ（＝１）でないと判別（ＳＴ２２のＮＯ）するので、当該優待券１８Ｔは重複して発行されることがない。
【００５４】
優待情報とともに当該各発行制限回数Ｎｓを各端末１０に記憶させておけるので、例えば売り場ごとに固有な優待情報を設定できるから適応性が広い。例えば、売上金額で優待レベルを数段階にアップする場合には、図３の優待情報３のように、一定期間（例えば、１週間）内で有効な発行制限回数Ｎｓを“３”に設定しておくことができる。
【００５５】
いずれの場合でも、優待券１８Ｔが発行された場合（ＳＴ２３）には、優待券発行報告手段（ＣＰＵ１１，ＲＯＭ１２）が、当該会員カードを特定した優待券発行報告を上位機（ＳＣ）２０に送信する（ＳＴ２４）。
【００５６】
上位機２０側の発行済回数更新手段（ＣＰＵ２１，ＲＯＭ２２）は、各端末１０から会員カードを特定した優待券発行報告を受信（図７のＳＴ３４でＹＥＳ）した場合に、図２に示す発行済回数記憶手段２３ＮＤに記憶されている当該発行済回数Ｎｉを更新する（ＳＴ３５）。
【００５７】
上記優待情報１の場合は、Ｎｉを“０”→“１”に更新する。つまり、各端末１０で発行された会員カードごとの発行済回数Ｎｉを一元的に管理することができる。
【００５８】
したがって、会員カードごとの優待情報および各優待情報ごとの発行制限回数Ｎｓを記憶しておけば、各種優待情報を印刷した各優待券１８Ｔを正確かつ迅速に発行することができる。店舗側の業務能率を大幅に向上しつつ客に優待を確実に付与することができとともに、客にとっても優待券１８Ｔの管理が楽でかつ優待を確実に享受し得る。
【００５９】
また、会員カードごとの優待情報および発行制限回数Ｎｓを記憶させておくだけでよいから取扱が簡単で、かつ各会員カードごとの多数の優待情報についてもより正確に管理できる。
【００６０】
また、上位機２０において全ての端末１０で実際に発行された優待券１８Ｔの発行済回数Ｎｉを一括管理できるから、より正確な発行管理を行える。また、客にとってもどの売り場の端末１０で買物をしても優待券１８Ｔの発行を確実に受けられるから安心である。
【００６１】
さらに、優待券１８Ｔをレシートの印刷発行用プリンタ１８で印刷・発行可能に形成されているので、格別な優待券発行プリンタを設けなくてもよいから低コストで具現化できるとともに、レシートとともに優待券１８Ｔを客に渡すことができるから業務能率を向上できる。
【００６２】
さらに、オプションテーブル１３ＯＴを設けてあるので、優待情報の記憶有無をより迅速に検索処理できる。
【００６３】
（第２の実施形態）
この第２の実施形態は、第１の実施形態の場合に比較して、上位機２０が存在しないとともに１台以上の電子キャッシュレジスタ（１０）から構成された商品販売データ処理装置である。
【００６４】
したがって、第１の実施形態における上位機側の発行済回数記憶手段（２３ＮＤ），発行済回数読取手段および発行済回数更新手段に相当する各手段は、各電子キャッシュレジスタ（１０）に設けられている。しかし、上位機側の発行済回数応答手段，発行済回数間合手段および優待券発行報告送信手段に相当する各手段は各電子キャッシュレジスタ（１０）に設けられてはいない。必要がない。
【００６５】
しかして、この第２の実施形態によれば、会員カードごとの優待情報および各優待情報ごとの発行制限回数Ｎｓを各電子キャッシュレジスタ（１０）に記憶しておけば、各種優待情報を印刷した各優待券１８Ｔを正確かつ迅速に発行することができる。店舗側の業務能率を大幅に向上しつつ客に優待を確実に付与することができとともに、客にとっても優待券１８Ｔの管理が楽でかつ優待を確実に享受し得る。
【００６６】
なお、複数の電子キャッシュレジスタ（１０）の内のいずれか１台をマスター機としておき、このマスター機を第１の実施形態における上位機（２０）の場合と同様に構築することにより、第１の実施形態の場合と同様に構成しても、第１の実施形態の場合と同様に実施することができる。
【００６７】
【発明の効果】
請求項１の発明によれば、会計処理に際して当該会員カードに対応する優待情報が記憶されていると判別されかつ当該優待情報に係る発行済回数が記憶された当該発行制限回数未満の場合にレシートとは別の当該優待情報を印刷した優待券を発行可能に形成された商品販売データ処理装置であるから、各種優待情報を印刷した各優待券を正確かつ迅速に発行することができる。店舗側の業務能率を大幅に向上しつつ客に優待を確実に付与することができとともに、客にとっても優待券の管理が楽でかつ優待を確実に享受し得る。
【００６８】
また、請求項２の発明によれば、優待情報記憶手段と発行制限回数記憶手段と発行済回数記憶手段と記憶有無判別手段と回数判別手段と優待券発行制御手段と発行済回数更新手段とを設け、会員カードを用いた会計処理に際し、当該会員カードに対応する優待情報の記憶があると判別されかつ発行済回数が当該発行制限回数未満であると判別された場合に、レシートとは別の当該優待情報を発行可能に形成された商品販売データ処理装置であるので、請求項１の発明の場合と同様な効果を奏することができ得ることはもとより、さらに会員カードごとの優待情報および発行制限回数を記憶させておくだけでよいから取扱が簡単で、かつ各会員カードごとの多数の優待情報についてもより正確な管理ができる。
【００６９】
また、請求項３の発明によれば、複数の端末と各端末を一括管理可能な上位機とを具備し、上位機側に発行済回数記憶手段と発行済回数読取手段と発行済回数応答手段と発行済回数更新手段とを設け、かつ各端末側に優待情報記憶手段と発行制限回数記憶手段と記憶有無判別手段と発行済回数間合手段と回数判別手段と優待券発行制御手段と優待券発行報告送信手段とを設けた商品販売データ処理装置であるので、請求項１および請求項２の各発明の場合と同様な効果を奏することができ得ることはもとより、さらに上位機で全ての端末で発行された優待券の発行済回数を一括管理できるから、より正確な発行管理を行える。また、客にとってもどの売り場の端末で買物をしても優待券の発行を確実に受けられるから安心である。
【００７０】
さらに、請求項４の発明によれば、優待券がレシートの印刷発行用プリンタを利用して印刷発行可能に形成されいるので、請求項１から請求項３までの各発明の場合と同様な効果を奏することができることに加え、さらに格別な優待券発行プリンタを設けなくてもよいから低コストで具現化できるとともに、レシートとともに優待券を客に渡すことができるから業務能率を向上できる。
【図面の簡単な説明】
【図１】本発明の第１の実施形態を説明するためのブロック図である。
【図２】同じく、優待情報記憶手段および発行制限回数記憶手段を説明するための図である。
【図３】同じく、オプションテーブルを説明するための図である。
【図４】同じく、発行済回数記憶手段を説明するための図である。
【図５】同じく、端末側の動作を説明するためのフローチャート（１）である。
【図６】同じく、端末側の動作を説明するためのフローチャート（２）である。
【図７】同じく、上位機側の動作を説明するためのフローチャートである。
【図８】同じく、優待券を説明するための図である。
【符号の説明】
１０  端末（電子キャッシュレジスタ）
１１  ＣＰＵ（記憶有無判別手段，発行済回数問合手段，回数判別手段，優待券発行制御手段，優待券発行報告手段）
１２  ＲＯＭ（記憶有無判別手段，発行済回数問合手段，回数判別手段，優待券発行制御手段，優待券発行報告手段）
１３  ＲＡＭ
１３ＳＤ  優待情報記憶手段
１３ＮＬ  発行制限回数記憶手段
１４  カードリーダ・ライタ
１６  キーボード
１７  表示器
１８  レシートの印刷発行用プリンタ
１８Ｔ  優待券
１９  ＨＤＤ
２０  上位機
２１  ＣＰＵ（発行済回数読取手段，発行済回数応答手段，発行済回数更新手段）
２２  ＲＯＭ（発行済回数読取手段，発行済回数応答手段，発行済回数更新手段）
２３  ＲＡＭ
２３ＭＦ  マスタファイル
２３ＮＤ  発行済回数記憶手段
２６  キーボード
２７  表示器
２８  ＨＤＤ
２９  ＦＤＤ
【図１】
0004007434.tif 000002
【図２】
0004007434.tif 000003
【図３】
0004007434.tif 000004
【図４】
0004007434.tif 000005
【図５】
0004007434.tif 000006
【図６】
0004007434.tif 000007
【図７】
0004007434.tif 000008
【図８】
0004007434.tif 000009